(57)【特許請求の範囲】
【請求項１】
吸気口、排気口、および、これら吸気口と排気口との間に位置する塵埃排出口を備え、前記吸気口と前記排気口とを連通して形成される風路を内部に区画するケース体と、
このケース体の吸気口と排気口との間に配置されたフィルタと、
前記ケース体の塵埃排出口を開閉可能な蓋体と、
この蓋体によって前記塵埃排出口を閉じることによりシート状のフィルタ体を前記フィルタの上流側を覆った状態で上流側から保持するとともに前記ケース体の内面との間にこのフィルタ体を挟み込み、前記蓋体によって前記塵埃排出口を開くことにより前記フィルタ体を介して前記本体ケースの内面を摺接しつつ前記フィルタ体を塵埃とともに前記塵埃排出口の外部へと引き出す保持部と
を具備したことを特徴とした集塵装置。
【請求項２】
保持部は、蓋体による塵埃排出口の開閉に連動してフィルタを介してケース体の内面に摺接する摺接部を備えている
ことを特徴とした請求項１記載の集塵装置。
【請求項３】
摺接部は、保持部に対して突出し、少なくとも先端側が弾性を有する掃出部材である
ことを特徴とした請求項２記載の集塵装置。
【請求項４】
蓋体は、回動により塵埃排出口を開閉可能であり、
摺接部は、前記蓋体の回動方向に対して交差する方向に延びて形成されている
ことを特徴とした請求項２または３記載の集塵装置。
【請求項５】
保持部は、蓋体に突出して形成されている
ことを特徴とした請求項１ないし４いずれか一記載の集塵装置。
【請求項６】
電動送風機を収容した掃除機本体と、
前記電動送風機の吸込側に排気口を連通させて取り付け可能な請求項１ないし５いずれか一記載の集塵装置と
を具備したことを特徴とした電気掃除機。
【発明の詳細な説明】
【技術分野】
【０００１】
本発明の実施形態は、シート状のフィルタ体を用いることが可能な集塵装置およびこれを備えた電気掃除機に関する。
【背景技術】
【０００２】
従来、この種の電気掃除機は、中空状の本体ケースに電動送風機を収容した掃除機本体を備えている。この掃除機本体には、電動送風機の吸込側に連通して集塵装置としての集塵カップが着脱可能となっている。この集塵カップは、吸気口および排気口を備えたケース体を有し、このケース体の内部には、吸気口から排気口へと連通する風路にフィルタが配置されている。また、ケース体には、塵埃排出口が形成されており、この塵埃排出口は、蓋体により開閉可能となっている。そして、フィルタの目詰まりを防止するために、使い捨てのシート状のフィルタ体であるティッシュ紙をフィルタの上流側に取り付け可能とし、このティッシュ紙によりフィルタの上流側を覆う。
【先行技術文献】
【特許文献】
【０００３】
【特許文献１】特開２００８−１９４０８５号公報
【特許文献２】特開２００７−２４４８４４号公報
【特許文献３】特開２００８−２５９８０６号公報
【発明の概要】
【発明が解決しようとする課題】
【０００４】
ティッシュ紙によりフィルタの上流側を覆う場合、フィルタの目詰まりを防止できるものの、フィルタの上流側に塵埃(主として粗塵)が溜まるため、この塵埃とともにティッシュ紙を廃棄する際に、塵埃が舞い上がらないようにすることが望まれている。
【０００５】
また、塵埃が舞い上がらないように廃棄するために、ティッシュ紙により塵埃を包むなどの手間が不要であることが望まれている。
【０００６】
本発明は、このような点に鑑みなされたもので、廃棄の際の塵埃の必要以上の舞い上がりを防止しつつ、塵埃を容易に廃棄できる集塵装置およびこれを備えた電気掃除機を提供することを目的とする。
【課題を解決するための手段】
【０００７】
実施形態の集塵装置は、吸気口、排気口、および、これら吸気口と排気口との間に位置する塵埃排出口を備え、吸気口と排気口とを連通して形成される風路を内部に区画するケース体を有する。また、集塵装置は、ケース体の吸気口と排気口との間に配置されたフィルタを有する。さらに、集塵装置は、ケース体の塵埃排出口を開閉可能な蓋体を有する。そして、集塵装置は、蓋体によって塵埃排出口を閉じることによりシート状のフィルタ体をフィルタの上流側を覆った状態で上流側から保持するとともにケース体の内面との間にこのフィルタ体を挟み込み、蓋体によって塵埃排出口を開くことによりフィルタ体を介して本体ケースの内面を摺接しつつフィルタ体を塵埃とともに塵埃排出口の外部へと引き出す保持部を有する。
【図面の簡単な説明】
【０００８】
【図１】一実施形態の集塵装置の塵埃廃棄時を示す斜視図である。
【図２】同上集塵装置を備えた電気掃除機の一部を示す縦断面図である。
【図３】同上集塵装置の一部を示す斜視図である。
【図４】同上集塵装置の蓋体を示す斜視図である。
【図５】同上電気掃除機を示す斜視図である。
【発明を実施するための形態】
【０００９】
以下、一実施形態の構成を図１ないし図５を参照して説明する。
【００１０】
図５において、11はいわゆるキャニスタ型の電気掃除機を示し、この電気掃除機11は、風路形成体である管部12と、この管部12が着脱可能に接続される掃除機本体13とを有している。
【００１１】
管部12は、基端側が掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１２】
手元操作部17には、把持部21がホース体16側へと突出し、この把持部21には、操作用の設定ボタン22が複数設けられている。
【００１３】
また、掃除機本体13は、ケース体25を備え、このケース体25の内部には、図示しない隔壁が形成されている。そして、ケース体25の内部は、隔壁により、電動送風機27を収容する電動送風機室と、電源コード31を巻回したコードリールを収容するコードリール室とが後側に区画されているとともに、隔壁に形成された連通口を介して電動送風機27の吸込側に連通する本体集塵室が前側に区画され、この本体集塵室に、集塵装置としての集塵カップ36が着脱可能に設けられている。また、この掃除機本体13は、被掃除面である床面上を走行可能であり、内部に配置された電動送風機27およびコードリールなどの重量物のバランスによって、走行時と停止時とでその角度が異なる状態となるように構成されている。
【００１４】
ケース体25は、前部の上側に、本体集塵室を開閉可能とする本体蓋41を備えており、この本体蓋41に、接続管部15が着脱可能に接続される本体吸込口42が形成されている。さらに、ケース体25の後部には、電動送風機27の排気側に連通する図示しない本体排気口が形成されている。
【００１５】
また、電動送風機27は、電源コード31を介して電源から給電されることにより、設定ボタン22で設定された所定の動作モードにより図示しない制御手段によって駆動されて管部12を介して空気とともに塵埃を吸い込むものである。そして、この電動送風機27は、前側を吸込側、後側を排気側として電動送風機室内に配置されている。なお、この電動送風機27は、例えばカバー体などによって少なくとも一部が覆われていてもよい。
【００１６】
また、集塵カップ36は、含塵空気に含まれる塵埃を捕集するもので、図１ないし図４に示すように、集塵装置本体としてのケース体であるカップ本体部45と、このカップ本体部45に上下方向に回動可能に取り付けられた蓋体としてのカップ蓋46と、カップ本体部45に着脱される二次フィルタ部47とを備えている。なお、本実施形態では、以下、集塵カップ36の前側を上流側とし、後側を下流側とする。
【００１７】
カップ本体部45は、例えば合成樹脂などにより形成され、前壁部51と、この前壁部51の両側にそれぞれ連続する壁部としての側壁部52，52と、これら前壁部51および側壁部52，52の上部を閉塞する上壁部53とを備えている。また、このカップ本体部45の内部には、隔壁部54が形成されており、この隔壁部54により、塵埃(粗塵Ｄ)を溜める集塵室55と、二次フィルタ部47を着脱するフィルタ取付部56とに前後に区画されている。
【００１８】
側壁部52，52は、隔壁部54の面方向、すなわちカップ蓋46の回動軸に対して交差(直交)する方向に沿う方向である前方へとそれぞれ延びており、互いに略平行に形成されている。また、側壁部52，52は、下端部が前側へと上方に略直線状に傾斜して形成されており、この下端部が、前壁部51の下端部および隔壁部54の下端部とともに、カップ蓋46により開閉される塵埃排出口58となっている。したがって、塵埃排出口58は、前側下方に向けて開口形成されており、カップ本体部45(集塵室55)の下部に位置し、カップ蓋46により開いた状態で、カップ本体部45(集塵室55)内に溜めた塵埃を外部へと廃棄可能となっている。
【００１９】
上壁部53は、前側が下方へと傾斜した傾斜面を形成するように平面状に形成されており、中央部に、丸孔状の吸気口59が形成されている。また、この上壁部53には、集塵カップ36を把持するための把持ハンドル60が、一側から他側へとループ状に連続して形成されている。
【００２０】
吸気口59は、管部12(図５)を介して吸い込んだ含塵空気をカップ本体部45の集塵室55内へと導くものであり、本体集塵室に取り付けられた状態で本体蓋41を閉じることで、本体吸込口42の下流側に気密に接続されるように構成されている。
【００２１】
把持ハンドル60は、例えば左右幅方向に亘って形成されている。また、この把持ハンドル60の近傍には、カップ蓋46を開き動作させるための図示しない蓋操作部が配置されている。この蓋操作部は、例えば把持ハンドル60を把持した手の指によって、図示しない係止機構を操作可能であり、使用者がカップ蓋46に直接手を触れることなく塵埃排出口58を開いて塵埃を廃棄できるように構成されている。係止機構は、蓋操作部の操作により、カップ蓋46を開方向へと押し出すように構成されている。
【００２２】
隔壁部54は、カップ本体部45の両側壁部52，52および上壁部53に亘って、すなわち、カップ蓋46の回動軸に対して略平行な方向に沿って形成されており、カップ本体部45の後側寄りに位置している。すなわち、隔壁部54は、上下左右方向に沿って面方向を有している。また、この隔壁部54は、上側寄りの部分が上下方向に略沿うように形成され、下側寄りの部分が下側へと後方に向けて傾斜している。そして、この隔壁部54の上側寄りの部分には、集塵室55とフィルタ取付部56とを連通する複数の通気開口63が上側寄りに格子状に形成され、この隔壁部54の下側寄りの部分には、集塵室55とフィルタ取付部56とを連通する複数の塵埃通過口64が左右幅方向に離間されて形成されている。
【００２３】
通気開口63全体は、一次フィルタであるメッシュ状のフィルタ66により覆われている。このフィルタ66は、含塵空気中の比較的大きい塵埃である粗塵Ｄを分離捕集するためのもので、平面状に形成され、上下方向に沿っている。また、このフィルタ66の上流側面は、吸気口59に対して、例えば０°より大きく４５°以下の角度で直接含塵空気を当てることが可能な位置となっている。換言すれば、吸気口59は、フィルタ66の上流側面に対して鋭角状に含塵空気を導く位置に構成されている。すなわち、この吸気口59の開口の軸方向に沿った投影領域内にフィルタ66の少なくとも一部が位置している。
【００２４】
塵埃通過口64は、閉塞部材としての図示しないフラップ状のシャッタによりそれぞれ開閉可能となっている。これらシャッタは、例えば合成樹脂などの比較的軽量の部材により板状に形成され、上端部が塵埃通過口64の上端前側の位置に回転自在に軸支され、下端側が自由端状となっている。そして、これらシャッタは、電動送風機27(図５)の駆動により塵埃通過口64から作用する負圧によって隔壁部54へと密着されるように回動して塵埃通過口64を閉塞することが可能となっている。また、各シャッタは、電動送風機27(図５)の停止状態では、重力(自重)により略垂直状となる。このため、この電動送風機27(図５)の停止状態での掃除機本体13(図５)の走行などにより隔壁部54の角度が変化することで、各シャッタが塵埃通過口64を開閉するように構成されている。ここでは、具体的に、電動送風機27の停止状態で掃除機本体13が走行を停止すると、隔壁部54が垂直状となって各シャッタが各塵埃通過口64を閉塞し、電動送風機27の停止状態で掃除機本体13が走行すると、隔壁部54が鉛直方向に対して傾斜状となって各シャッタが各塵埃通過口64を開くように構成されている。
【００２５】
また、カップ蓋46は、例えば合成樹脂などにより形成され、蓋本体67と、この蓋本体67の後部をカップ本体部45に回動可能に軸支する一対の軸支部68，68と、蓋本体67からそれぞれ突出した一対の保持部としての突出リブ69，69とを備えている。
【００２６】
蓋本体67は、塵埃排出口58の縁部に圧接されて隙間を閉塞する図示しないシール部材としてのパッキンが周縁部に嵌着されている。また、この蓋本体67には、集塵室55内に捕集した塵埃(粗塵Ｄ)を受ける主集塵室蓋部としての前側凹部71が前側に形成され、二次フィルタ部47により捕集した塵埃(細塵)を受ける副集塵室蓋部としての後側凹部72とを有している。さらに、この蓋本体67の外縁部には、カップ本体部45の塵埃排出口58の周囲を囲む蓋縁部73が略全周に亘って形成されている。そして、この蓋本体67の軸支部68と反対側の端部、すなわち前端部には、図示しないが、カップ蓋46により塵埃排出口58を閉じた状態でカップ蓋46をカップ本体部45に対して係止固定するための係止部が突出して形成されている。
【００２７】
前側凹部71は、カップ蓋46により塵埃排出口58を閉じた状態で集塵室55の下方に位置している。
【００２８】
後側凹部72は、カップ蓋46により塵埃排出口58を閉じた状態で塵埃通過口64の下方に位置している。
【００２９】
また、軸支部68，68は、蓋本体67の蓋縁部73の後部から後方へと突出しており、左右幅方向に離間されている。これら軸支部68，68は、カップ本体部45の隔壁部54の下端部に形成された図示しない軸受部にそれぞれ回動可能に軸支され、カップ蓋46の回動軸を構成する。したがって、カップ蓋46は、塵埃排出口58を閉塞した状態で隔壁部54(フィルタ66の上流側面)に最も近づき、開くにしたがって隔壁部54(フィルタ66の上流側面)から遠ざかるように構成されている。さらに、これら軸支部68，68は、フィルタ66(隔壁部54)の下流側面(後面)よりも後方である下流側にて軸支されている。
【００３０】
また、各突出リブ69は、フィルタ66の上流側を覆うためのシート状の使い捨てのフィルタ体であるティッシュ紙Ｔを上流側から保持するものであり、蓋本体67(の前側凹部71)の両側近傍からこの蓋本体67に対して略垂直な方向に沿って、フィルタ66(隔壁部54)に向けて直線状に突出している。換言すれば、各突出リブ69は、上流側から下流側に向かって基端側から先端側へと延びている。また、各突出リブ69は、軸支部68、すなわちカップ蓋46の回動軸に対して周方向に沿って形成されている。さらに、各突出リブ69は、先端部に保持面部75が平面状に形成されており、この保持面部75の側部に、摺接部としての突起である掃出部材76がそれぞれ形成されている。そして、各突出リブ69は、カップ蓋46を開方向に最大に回動させた状態で、集塵室55の外方、すなわち塵埃排出口58よりも外側に位置するように形成されている。
【００３１】
各保持面部75は、カップ蓋46により塵埃排出口58を完全に閉じた状態、すなわちカップ蓋46が閉方向に最大に回動した状態で、隔壁部54およびフィルタ66の上流側面近傍に位置することで、ティッシュ紙Ｔをフィルタ66の上流側面に押し付けた状態で保持する部分である。これら保持面部75は、隔壁部54の前面、すなわちフィルタ66の上流面の面形状に対応した形状に形成されており、各突出リブ69，69に対して、カップ蓋46の回動方向に交差する方向に延びている。また、これら保持面部75は、カップ蓋46により塵埃排出口58を開いた状態、すなわちカップ蓋46を開方向に最大に回動させた状態で略水平状となり、上部にティッシュ紙Ｔを容易に載置できるように構成されている。
【００３２】
また、各掃出部材76は、例えば弾性を有する部材により形成された刷毛などであり、各突出リブ69から側方外側へと突出しており、各突出リブ69の突出方向に対して交差する方向へと屈曲している。さらに、各掃出部材76は、カップ蓋46の開閉に連動して、カップ本体部45の側壁部52，52の内面と先端側が摺接可能な長さに形成されている。そして、各掃出部材76は、各保持面部75に対応して、すなわち各突出リブ69，69に対して、カップ蓋46の回動方向に交差する方向に延びて配置されている。したがって、各掃出部材76は、カップ蓋46の回動軸(軸支部68)に対して直交方向の成分を有する方向に沿って延びている。
【００３３】
また、ティッシュ紙Ｔは、フィルタ66よりも目が細かい一般的なものであり、突出リブ69，69の保持面部75，75間に亘って配置されることにより、カップ蓋46を開いた状態での突出リブ69，69の上側全体を覆うとともに、突出リブ69，69の掃出部材76，76よりも側方に両側部が突出する大きさに形成されている。
【００３４】
係止部は、例えば蓋操作部によって操作される係止機構に係止されるものである。
【００３５】
また、二次フィルタ部47は、図示しない細塵フィルタ(二次フィルタ)を図示しないフィルタ保持枠に保持して構成されており、フィルタ取付部56に嵌合してカップ本体部45に取り付けられる。そして、この二次フィルタ部47は、ティッシュ紙Ｔおよびフィルタ66により捕集できなかった微細な塵埃である細塵を捕集するように構成されている。さらに、この二次フィルタ部47の下流側である後側には、二次フィルタ部47により捕集した細塵を除去するための除塵手段が配置されている。この除塵手段は、所定のタイミングで例えば制御手段により駆動されることにより、二次フィルタ部47に捕集した細塵を、塵埃通過口64を介して集塵室55内へと落下させるものである。なお、この除塵手段を駆動させるタイミングとしては、任意に設定できるものの、例えば電気掃除機11(電動送風機27)を起動したときなどとする。
【００３６】
また、フィルタ取付部56は、カップ本体部45の後部に区画されており、後端部が、二次フィルタ部47によって閉塞される略四角形状の排気口79となっている。すなわち、カップ本体部45には、カップ蓋46により塵埃排出口58を閉塞した状態で、空気が吸気口59から(フィルタ66を介して)排気口79へと流れる風路Ｗが内部に区画される。換言すれば、この風路Ｗは、吸気口59と排気口79とを連通して形成されている。したがって、この排気口79と吸気口59との間に、塵埃排出口58およびフィルタ66が位置し、このフィルタ66が風路Ｗに配置されている。
【００３７】
次に、上記一実施形態の動作を説明する。
【００３８】
掃除の際には、まず、集塵カップ36を準備する。
【００３９】
すなわち、図１に示すように、カップ蓋46により塵埃排出口58を開いた状態で、すなわちカップ蓋46を開方向へと最大に回動させた状態で、使用者は水平状となった突出リブ69，69の保持面部75，75間に未使用のティッシュ紙Ｔを載置する。このとき、ティッシュ紙Ｔの両側部は、突出リブ69，69の掃出部材76，76よりも外方(側方)へと突出し、突出リブ69，69を覆った状態となっている。
【００４０】
そして、使用者は、ティッシュ紙Ｔとともにカップ蓋46を上方へと回動させることにより、塵埃排出口58を閉じる。このとき、ティッシュ紙Ｔの両側部が突出リブ69，69の掃出部材76，76とカップ本体部45の側壁部52，52との間に挟み込まれた状態となるため、塵埃排出口58を閉方向へとカップ蓋46を回動させるに従い、ティッシュ紙Ｔは、両側部がカップ本体部45の側壁部52，52の内面と摺接しつつ、カップ蓋46とともにフィルタ66へと接近してゆく。なお、掃出部材76，76は弾性を有するため、ティッシュ紙Ｔの両側部は、掃出部材76，76と側壁部52，52の内面との間に弾性的に挟み込まれるので、ティッシュ紙Ｔが側壁部52，52の内面との摺接の際に破れることがない。
【００４１】
そして、カップ蓋46により塵埃排出口58を完全に閉塞し、このカップ蓋46をカップ本体部45に対して係止固定した状態、すなわちカップ蓋46を閉方向へと最大に回動させた状態で、突出リブ69，69の保持面部75，75がフィルタ66の上流側面に対向することで、これら突出リブ69，69によって、ティッシュ紙Ｔがフィルタ66の上流側面に接触してこの上流側面を覆う状態で保持される。
【００４２】
この後、使用者は、走行停止状態の掃除機本体13の本体蓋41を開き、本体集塵室に上記集塵カップ36を取り付け、本体蓋41を閉じる。この結果、集塵カップ36の排気口79が電動送風機27の吸込側に気密に接続されて連通する。
【００４３】
なお、集塵カップ36が予め本体集塵室に取り付けられている場合には、上記の各作業はそれぞれ不要となる。また、ティッシュ紙Ｔは、フィルタ66の目詰まりを効果的に防止したい場合にのみ取り付ければよく、常に取り付ける必要はない。
【００４４】
使用者は、本体吸込口42に接続管部15を介してホース体16を連通接続し、このホース体16の先端側に、延長管18および床ブラシ19を順次連通接続する。
【００４５】
さらに、使用者は、掃除機本体13から電源コードを引き出して図示しないコンセントに接続し、把持部21を把持して所定の設定ボタン22を操作すると、この設定ボタン22により設定された動作モードに応じて制御手段により電動送風機27が駆動される。この電動送風機27の駆動により、各シャッタが塵埃通過口64から作用する負圧によって隔壁部54の前面側に吸着され、塵埃通過口64が閉塞される。
【００４６】
次いで、使用者は、把持部21を把持して床面上で床ブラシ19を前後に走行させることで、電動送風機27による負圧によって、床ブラシ19の先端側から塵埃を空気とともに吸い込む。
【００４７】
床ブラシ19から塵埃とともに吸い込まれた含塵空気は、延長管18およびホース体16(接続管部15)を介して、塵埃を本体吸込口42から集塵カップ36へと運ぶ。
【００４８】
この集塵カップ36においては、本体吸込口42から吸気口59へと吸い込まれた含塵空気が、吸気口59の開口方向に沿って略直線状に集塵室55へと吸い込まれ、ティッシュ紙Ｔの上流側面へと吹き付けられる。なお、ティッシュ紙Ｔを取り付けない場合には、この含塵空気は、フィルタ66の上流側面へと直接吹き付けられ、このフィルタ66に付着した塵埃を常時剥がして落とす。
【００４９】
さらに、この吹き付けられた含塵空気は、ティッシュ紙Ｔおよびフィルタ66を通過する際に塵埃が捕集されながらフィルタ取付部56へと流れた後、二次フィルタ部47を通過する際にさらに塵埃が捕集され、空気のみが排気口79から集塵カップ36の外部へと排気される。したがって、集塵室55にて、ティッシュ紙Ｔ(フィルタ66)とカップ蓋46との間の空間に、綿埃などの粗塵Ｄが溜められる。
【００５０】
この後、空気は、隔壁の連通口を介して電動送風機27へと吸い込まれ、この電動送風機27を通過して排気風となり、ケース体25の本体排気口から掃除機本体13の外部へと排気される。
【００５１】
掃除が終了すると、使用者が設定ボタン22を操作することで制御手段により電動送風機27が停止される。この電動送風機27の停止に伴い、各シャッタを塵埃通過口64に対して吸着する負圧が解消される。この状態で、制御手段が除塵手段を駆動させることにより、二次フィルタ部47に捕集された細塵が除去され、塵埃通過口64へと落下する。このとき、掃除機本体13は、前側が相対的に下側に位置する状態となっているため、シャッタの下端側が隔壁部54の前面に対して離間されて塵埃通過口64が開いているので、これら塵埃通過口64から集塵室55内へと落下し、カップ蓋46の後側凹部72に溜められる。
【００５２】
また、集塵カップ36に捕集した塵埃が所定量以上溜まった場合には、使用者は掃除機本体13の本体蓋41を開き、把持ハンドル60を把持して集塵カップ36を本体集塵室から取り外し、蓋操作部を操作することによりカップ蓋46を開く。
【００５３】
このとき、カップ蓋46が軸支部68，68を中心として回動することにより、カップ蓋46に形成した突出リブ69，69の掃出部材76，76とカップ本体部45の側壁部52，52との間に挟持されているティッシュ紙Ｔの両側がカップ本体部45の側壁部52，52の内面を摺接することで、掃出部材76，76に沿う長手状の部分にて、ティッシュ紙Ｔがカップ本体部45の側壁部52，52の内面に付着した塵埃を拭き取る(図１の部分Ａに示す)。そして、ティッシュ紙Ｔとともに粗塵Ｄおよび細塵が塵埃排出口58の外部へと引き出される。この状態で、ティッシュ紙Ｔは、カップ蓋46との間で粗塵Ｄを上下から挟むように覆った状態となっているものの、突出リブ69，69の間に載置されているのみであるから、集塵カップ36を傾斜させるだけで粗塵Ｄの上側を覆ったままの状態でこれら塵埃とともに容易に廃棄でき、塵埃の舞い上がりを防止する。なお、使用者は、ティッシュ紙Ｔにより粗塵Ｄを包んで廃棄することもできる。このとき、ティッシュ紙Ｔは、比較的汚れが少ない下流側が上部(粗塵Ｄに対して外側)に臨んでいるため、使用者がティッシュ紙Ｔの下流側のみに触れて粗塵Ｄを包むことができるので、衛生的となる。
【００５４】
この後、使用者はカップ本体部45に取り付けた状態でカップ蓋46を閉じ、掃除機本体13の本体集塵室に集塵カップ36を再度取り付けて本体蓋41を閉じる。
【００５５】
上述したように、上記一実施形態によれば、カップ蓋46によってカップ本体部45の塵埃排出口58を閉じると、突出リブ69，69がティッシュ紙Ｔを、フィルタ66の上流側を覆った状態で上流側から保持するので、ティッシュ紙Ｔを容易に取り付けできるとともに、カップ蓋46によって塵埃排出口58を開くと、ティッシュ紙Ｔとともに塵埃(粗塵Ｄ)を塵埃排出口58の外部へと引き出すので、ティッシュ紙Ｔとカップ蓋46とで塵埃(粗塵Ｄ)を上下から挟んだ状態のまま、換言すればティッシュ紙Ｔによって塵埃(粗塵Ｄ)を覆った状態のまま塵埃排出口58の外部に引き出され、塵埃(粗塵Ｄ)の必要以上の舞い上がりおよび飛び散りを防止しつつ、この塵埃(粗塵Ｄ)を使い捨てのティッシュ紙Ｔとともに容易に廃棄できる。
【００５６】
また、各突出リブ69が、カップ蓋46による塵埃排出口58の開閉に連動してカップ本体部45の側壁部52，52の内面に摺接する掃出部材76を備えていることにより、この掃出部材76とカップ本体部45の側壁部52の内面との間でティッシュ紙Ｔの両側部を挟持することが可能となる。このため、カップ蓋46により塵埃排出口58を開いたときに、ティッシュ紙Ｔを、突出リブ69，69によって確実に塵埃排出口58の外部へと引き出すことができるとともに、カップ蓋46により塵埃排出口58を開く一動作で、カップ本体部45の側壁部52，52の内面に押し付けられたティッシュ紙Ｔの両側部により側壁部52，52の内面に付着した塵埃(汚れ)を拭くことができ、側壁部52，52の外部からのカップ本体部45(集塵室55)内の可視性を確保できる。
【００５７】
しかも、弾性を有する掃出部材76を各突出リブ69の先端部から側方へと突出させることにより、カップ本体部45の側壁部52の内面との間でティッシュ紙Ｔを弾性的に挟持できるので、ティッシュ紙Ｔの保持力を確保しつつ、カップ蓋46により塵埃排出口58を開く際などのティッシュ紙Ｔの破れを防止できるとともに、集塵カップ36にティッシュ紙Ｔを用いない場合でも、カップ蓋46により塵埃排出口58を開いたときに掃出部材76，76がカップ本体部45の側壁部52，52の内面と摺接してこの内面の塵埃(汚れ)を拭きながら掃き出すことができる。換言すれば、カップ本体部45の側壁部52，52の内面の塵埃(汚れ)を掃き出す掃出部材76，76をティッシュ紙Ｔの保持用として兼用でき、構成の簡略化が可能になる。
【００５８】
さらに、掃出部材76，76を、カップ蓋46の回動方向に対して交差する方向に延びて形成することにより、カップ蓋46により塵埃排出口58を開く際に、カップ本体部45の側壁部52，52の内面の、より広い範囲をティッシュ紙Ｔの両側部によって拭くことができる。
【００５９】
そして、各突出リブ69を、カップ蓋46に突出して形成することにより、カップ蓋46によって塵埃排出口58を閉じることによりティッシュ紙Ｔをフィルタ66の上流側を覆った状態で上流側から保持し、カップ蓋46によって塵埃排出口58を開くことによりティッシュ紙Ｔを塵埃とともに塵埃排出口58の外部へと引き出す構成を容易に形成でき、製造コストおよび組立性のそれぞれの面からも実現が容易となる。
【００６０】
なお、上記一実施形態において、各掃出部材76は、例えば弾性部材により形成されたゴムブレードなどの、板状の部材などでもよく、各突出リブ69を構成する部材を突出させて各突出リブ69と一体に形成してもよい。
【００６１】
また、各突出リブ69に、掃出部材76(突起)を備えない構成としてもよい。
【００６２】
さらに、保持部は、カップ蓋46の開閉に連動すれば、このカップ蓋46以外の任意の位置に形成してもよい。
【００６３】
そして、ティッシュ紙Ｔを保持する部分とカップ本体部45の内面を拭く部分とは、別個に構成してもよい。
【００６４】
また、摺接部の形状は任意に設定できる。
【００６５】
さらに、掃除機本体13の細部の構成は、上記に限定されるものではない。
【符号の説明】
【００６６】
11    電気掃除機
13    掃除機本体
27    電動送風機
36    集塵装置としての集塵カップ
45    ケース体であるカップ本体部
46    蓋体としてのカップ蓋
58    塵埃排出口
59    吸気口
66    フィルタ
69    保持部としての突出リブ
76    摺接部としての掃出部材
79    排気口
Ｔ    フィルタ体であるティッシュ紙
Ｗ    風路
【図１】
0005567394.tif 000002
【図２】
0005567394.tif 000003
【図３】
0005567394.tif 000004
【図４】
0005567394.tif 000005
【図５】
0005567394.tif 000006